(57)【要約】【課題】指針の発光輝度を低下させることなく、均一な指針照明が可能であると共に、小型化が可能な指針式計器装置を提供する。【解決手段】指針照明用の発光ダイオード１０が実装された回路基板１と、この回路基板１の裏面側に装着され回路基板１を貫通して前方側に延びる駆動軸２を有する駆動本体３と、指示部４と駆動軸２に固着される指針軸５とを有し駆動軸２の回転によって回動する指針６と、この指針６の後方に配置された表示板８とを備え、発光ダイオード１０は駆動軸２周りに配置され回路基板１に対して平行方向であって駆動軸２の中心側に光を出射するサイドビュー型からなり、指針６は駆動軸２と発光ダイオード１０との間に配置され発光ダイオード１０からの光を指示部４側に導く反射面２１を有すると共に、この反射面２１を発光ダイオード１０の照射範囲内に位置するように設ける。【選択図】図１
2010197275.tif 000002
【特許請求の範囲】
【請求項１】
光源が実装された回路基板と、この回路基板の裏面側に装着され前記回路基板を貫通して前方側に延びる駆動軸を有する駆動本体と、指示部と前記駆動軸に固着される指針軸とを有し前記駆動軸の回転によって回動する指針と、この指針の後方に配置された表示板とを備え、前記光源は前記駆動軸周りに配置され前記回路基板に対して平行方向であって前記駆動軸の中心側に光を出射するサイドビュー型の発光ダイオードからなり、前記指針は前記駆動軸と前記発光ダイオードとの間に配置され前記発光ダイオードからの光を前記指示部側に導く反射面を有すると共に、この反射面は前記発光ダイオードの照射範囲内に位置するように設けられていることを特徴とする指針式計器装置。
【請求項２】
前記反射面は前記指針軸に設けられていることを特徴とする請求項１に記載の指針式計器装置。
【請求項３】
光源が実装された回路基板と、この回路基板の裏面側に装着され前記回路基板を貫通して前方側に延びる駆動軸を有する駆動本体と、指示部と前記駆動軸に固着される指針軸とを有し前記駆動軸の回転によって回動する指針と、この指針の後方に配置された表示板とを備え、前記光源は前記駆動軸周りに配置され前記回路基板に対して平行方向であって前記駆動軸の中心とは反対側に光を出射するサイドビュー型の発光ダイオードからなり、前記指針は前記発光ダイオードの周りに配置され前記発光ダイオードからの光を前記指示部側に導く反射面を有すると共に、この反射面は前記発光ダイオードの照射範囲内に位置するように設けられていることを特徴とする指針式計器装置。
【請求項４】
前記反射面は、前記指針が回動した際、前記発光ダイオードの光軸中心に位置するように設けられていることを特徴とする請求項１から請求項３の何れかに記載の指針式計器装置。
【請求項５】
前記発光ダイオードは、前記駆動軸を中心とした円周上に複数個実装されていることを特徴とする請求項１から請求項４の何れかに記載の指針式計器装置。
【請求項６】
前記反射面は、前記駆動軸を囲むように全周に設けられていることを特徴とする請求項１から請求項５の何れかに記載の指針式計器装置。
【請求項７】
前記指示部の先端側に対応した前記表示板と前記回路基板との間に、前記発光ダイオードからの光を前記表示板側に反射させる反射部を設けたことを特徴とする請求項１から請求項６の何れかに記載の指針式計器装置。
【発明の詳細な説明】
【技術分野】
【０００１】
本発明は、例えば車両に備えられ、指針と、この指針を照明する光源とを備えた指針式計器装置に関するものである。
【背景技術】
【０００２】
指針を備えた計器装置としては、例えば下記特許文献１がある。特許文献１に記載された指示計器（指針式計器装置）は、回路基板７０と、この回路基板７０の裏面側に装着され指針軸２３を有する回動内機２０ｂと、指針軸２３に固着された発光指針２０ｃと、この発光指針２０ｃの後方に配置された目盛り盤２０ａと、目盛り盤２０ａの裏面側に配置された導光板５０と、目盛り盤２０ａおよび導光板５０が保持されるリフレクタ６０と、回路基板７０に実装され目盛り盤２０ａと発光指針２０ｃをそれぞれ照明する光源８１，８２と、指針軸２３の周囲に配置され発光指針２０ｃを照明する光源８２からの光を発光指針２０ｃの回動基部２４ａに導く導光部材１００などを備えている。そして、発光指針２０ｃの照明は、指針軸２３の周囲に配置された光源８２からの光が導光部材１００を導光して回動基部２４ａに導かれて指針本体２４が照明される。また、目盛り盤２０ａの照明は光源８１からの光が導光板５０内に導かれて照明されるようになっている。
【０００３】
しかし、上記特許文献１の計器装置は、発光指針２０ｃを照明するための導光部材１００および目盛り盤２０ａを均一に照明するための導光板５０を用いており、コストアップとなっている。また、導光部材１００と導光板５０を用いているため、目盛り盤２０ａと回路基板７０の間隔を狭めて指示計器を小型化する際にも限度があった。例えば導光部材１００を廃止することによって発光指針２０ｃの回動基部２４ａと光源８２との距離を狭めることも考えられるが、距離が縮まる程回動基部２４ａを照射する照射光の範囲が狭まり、発光指針２０ｃが回転した際に指針本体２４の照明に輝度ムラが発生しやすくなる。
【０００４】
そこで、特許文献２の指針式計器装置に記載されている様に、表示板１と、この表示板１の前方に配置された指針２と、この指針２を駆動する駆動装置３と、指針２の受光部２ｇに照明光Ｌを供給する光源４とを備えた指針式計器装置とし、駆動装置３に光源４からの照明光Ｌを反射する反射面３ｄを設け、照明光Ｌを反射面３ｄによって反射させて指針２の受光部２ｇに導くようにすることが考えられる。この様に構成することによって、表示板１と回路基板５との距離を狭めることが可能となる。
【先行技術文献】
【特許文献】
【０００５】
【特許文献１】特開２００１−３１１６３３号公報
【特許文献２】特開２００８−１８５４６９号公報
【発明の概要】
【発明が解決しようとする課題】
【０００６】
しかしながら、特許文献２記載の指針式計器装置は、照明光Ｌを反射させる面として、駆動装置３の上面に設けられた反射面３ｄを用いるため、駆動装置３の指針軸受け部（反射面３ｄが形成された箇所）が大きくなり、ひいては指針式計器装置の大型化に繋がってしまう。また、反射面３ｄによって光が周囲に拡散してしまい、指針２の受光部２ｇに十分に光を取り込むことが出来ず、指針本体２４の発光輝度が低下し輝度ムラも発生しやすくなる、といった問題点を有する。
【０００７】
本発明はこの様な点に鑑みなされたもので、指針の発光輝度を低下させることなく、均一な指針照明が可能であると共に、小型化が可能な指針式計器装置を提供することを目的とする。
【課題を解決するための手段】
【０００８】
本発明は前記目的を達成するため、光源が実装された回路基板と、この回路基板の裏面側に装着され前記回路基板を貫通して前方側に延びる駆動軸を有する駆動本体と、指示部と前記駆動軸に固着される指針軸とを有し前記駆動軸の回転によって回動する指針と、この指針の後方に配置された表示板とを備え、前記光源は前記駆動軸周りに配置され前記回路基板に対して平行方向であって前記駆動軸の中心側に光を出射するサイドビュー型の発光ダイオードからなり、前記指針は前記駆動軸と前記発光ダイオードとの間に配置され前記発光ダイオードからの光を前記指示部側に導く反射面を有すると共に、この反射面は前記発光ダイオードの照射範囲内に位置するように設けられているものである。
【０００９】
また、前記反射面は前記指針軸に設けられているものである。
【００１０】
また、光源が実装された回路基板と、この回路基板の裏面側に装着され前記回路基板を貫通して前方側に延びる駆動軸を有する駆動本体と、指示部と前記駆動軸に固着される指針軸とを有し前記駆動軸の回転によって回動する指針と、この指針の後方に配置された表示板とを備え、前記光源は前記駆動軸周りに配置され前記回路基板に対して平行方向であって前記駆動軸の中心とは反対側に光を出射するサイドビュー型の発光ダイオードからなり、前記指針は前記発光ダイオードの周りに配置され前記発光ダイオードからの光を前記指示部側に導く反射面を有すると共に、この反射面は前記発光ダイオードの照射範囲内に位置するように設けられているものである。
【００１１】
また、前記反射面は、前記指針が回動した際、前記発光ダイオードの光軸中心に位置するように設けられているものである。
【００１２】
また、前記発光ダイオードは、前記駆動軸を中心とした円周上に複数個実装されているものである。
【００１３】
また、前記反射面は、前記駆動軸を囲むように全周に設けられているものである。
【００１４】
また、前記指示部の先端側に対応した前記表示板と前記回路基板との間に、前記発光ダイオードからの光を前記表示板側に反射させる反射部を設けたものである。
【発明の効果】
【００１５】
指針の発光輝度を低下させることなく、均一な指針照明が可能であると共に、小型化が可能な指針式計器装置を得ることができる。
【図面の簡単な説明】
【００１６】
【図１】本発明の第１実施形態を示す指針式計器装置の部分断面図である。
【図２】同指針式計器装置に備えられる表示板と指針を示す部分正面図である。
【図３】同発光ダイオードと指針の反射面の位置関係を示す説明図である。
【図４】同指針が回動した際の発光ダイオードと指針の反射面の位置関係を示す説明図である。
【図５】本発明の第２実施形態を示す指針式計器装置の部分断面図である。
【図６】同発光ダイオードと指針の反射面の位置関係を示す説明図である。
【図７】本発明の第３実施形態を示す指針式計器装置の部分断面図である。
【図８】本発明の第４実施形態を示す指針式計器装置の部分断面図である。
【図９】本発明の第５実施形態を示す指針式計器装置の部分断面図である。
【図１０】同発光ダイオードと指針の反射面の位置関係を示す説明図である。
【発明を実施するための形態】
【００１７】
本発明の第１実施形態を図１〜図４に基づいて説明する。なお、図３は指針の指示部が０km/hを指して停止している状態を示す説明図であり、図４は指針の指示部が４０km/h近辺を指している状態を示す説明図である。
【００１８】
指針式計器装置は、硬質な回路基板１と、この回路基板１の裏面側に回路基板１と導通状態で装着され、回路基板１を貫通して前方側に延びる駆動軸２を有する駆動本体３と、指示部４と駆動軸２に固着される指針軸５とを有し駆動軸２の回転によって回動する指針６と、この指針６の後方に配置され指示部４の指示対象となる例えば車両の速度を現す目盛，数字などの表示部７が設けられた表示板８と、この表示板８と回路基板１との間に配置され表示板８が支持されるケース部材９と、駆動軸２周りの回路基板１に実装され指針６を照明する光源としての発光ダイオード１０と、表示板７を照明する光源としての表示板照明用発光ダイオード１１を備えている。
【００１９】
また、表示板８周縁の表面側に配置され表示板８の可視領域を定める開口部１２を有する例えば黒色の合成樹脂からなる見返し部材１３と、指針６や表示板８などの前方側を被う無色透明な合成樹脂からなる透視板１４と、回路基板１の裏面側を覆う合成樹脂製のカバー１５などを備えている。
【００２０】
指針６は、指示部４および基部１６を有する無色透明な合成樹脂からなる指針本体１７と、基部１６の前方側および周囲を覆う例えば黒色の合成樹脂からなる指針キャップ１８と、指示部４とは反対側の指針キャップ１８内に収納され黄銅や亜鉛などの金属系の材料からなるバランサー１９を備えている。指示部４の裏面には例えば白色の箔（図示せず）がホットスタンプされており、昼間など周囲が明るい時は指示部４が白色で視認される。
【００２１】
基部１６には、駆動本体３の駆動軸２に固着される円筒状の指針軸５と、この指針軸５と離間し指針照明用の発光ダイオード１０からの光を受光する受光部２０と、この受光部２０に入射した光を指示部４側に導く反射面２１と、この反射面２１で反射した光を指示部４の先端側に反射させる指針反射面２２が設けられている。受光部２０および反射面２１は指示部４側の基部１６に設けられている。
【００２２】
表示板８は、詳細は図示しないが、指針６の指針軸５や受光部２０が挿通される貫通穴２３を有する無色透明な合成樹脂からなる基板の表面側に、例えば車両の速度を現す目盛，数字などの表示部７となる例えば白色の着色透過層を印刷した後、表示部７以外の地部２４となる箇所を例えば黒色の遮光層で印刷したものである。なお、図２に於いては、表示部７を黒色で、地部２４を無色で示す。
【００２３】
ケース部材９は、遮光性のある例えば白色の合成樹脂からなり、表示板８が載置される裁置部２５と、指針照明用の発光ダイオード１０を囲むように表示板８と回路基板１との間に配置された筒部２６と、表示板照明用発光ダイオード１１周りから筒部２６を取り巻くように指示部４の先端側に対応した表示板８に向かって傾斜して形成された反射部２７などを有している。
【００２４】
指針照明用の発光ダイオード１０は、駆動軸２周りに配置され回路基板１に対して平行方向に光を出射するサイドビュー型であり、本実施形態に於いては、駆動軸２と発光ダイオード１０との間に配置された受光部２０（反射面２１）周りであって回路基板１上の駆動軸２を中心とした円周上に出射方向が駆動軸２側となるように複数個（本実施形態に於いては３個１０Ａ，１０Ｂ，１０Ｃ）実装されている。そして、指針６が回動した際に各発光ダイオード１０の光軸中心Ｌを指針６の反射面２１が横切るようになっている。即ち、指針６が回動し、発光ダイオード１０にほぼ対応した位置に指示部４が来た際、光軸中心Ｌに受光部２０および反射面２１が位置するようになっている。
【００２５】
また、指針６の基部１６に設けられた受光部２０および反射面２１は、発光ダイオード１０の照射範囲Ｓ内に位置するように設けられていると共に、指針６が回動した際も発光ダイオード１０の照射範囲Ｓ内に位置するようになっている。即ち、図３に示す様に、発光ダイオード１０の回路基板１の平面方向に於ける照射範囲Ｓ内に指針６の受光部２０および反射面２１が位置するようになっている（図３は、指針６が０km/hを指して停止している際の発光ダイオード１０と指針６の受光部２０および反射面２１の位置関係を示すもので、発光ダイオード１０Ａの照射範囲Ｓ内に受光部２０および反射面２１が位置し、発光ダイオード１０Ａからの光を受光して、反射面２１に於いてその光を指針反射面２２側に反射するようになっている）。
【００２６】
そして、図４に示す様に、例えば指針６の指示部４が発光ダイオード１０Ａと発光ダイオード１０Ｂとのほぼ中間まで回動した際も、発光ダイオード１０Ａ，１０Ｂの照射範囲Ｓ内に受光部２０および反射面２１が位置し、発光ダイオード１０Ａと発光ダイオード１０Ｂからの両方の光を受光して、反射面２１に於いてその光を指針反射面２２側に反射するようになっている。
【００２７】
表示板照明用発光ダイオード１１も指針照明用の発光ダイオード１０と同様に、回路基板１に対して平行方向に光を出射するサイドビュー型であり、出射方向がケース部材９の反射部２７側（光軸中心Ｌが反射部２７側）となるようにケース部材９に設けられた筒部２６の周りに複数個実装されている。
【００２８】
この様に構成された指針式計器装置に於いて、夜間など周囲が暗い時に例えば白色で発光する指針照明用の発光ダイオード１０が点灯すると、発光ダイオード１０からの光は指針６の基部１６に設けられた受光部２０内に入射し、反射面２１で反射して指示部４側に導かれる。そして、指針反射面２２で反射されて指示部４の先端側に向かい指示部４が白色で透過照明される。
【００２９】
また、例えば白色で発光する表示板照明用発光ダイオード１１が点灯すると、表示板照明用発光ダイオード１１からの光は表示板８の裏面側を直射する、或いはケース部材９に設けられた反射部２７で拡散反射して表示板８側に向かう。これらの光によって表示板８の表示部７が白色で透過照明されるようになる。
【００３０】
この様に、指針照明用の発光ダイオード１０が実装された回路基板１と、この回路基板１の裏面側に装着され回路基板１を貫通して前方側に延びる駆動軸２を有する駆動本体３と、指示部４と駆動軸２に固着される指針軸５とを有し駆動軸２の回転によって回動する指針６と、この指針６の後方に配置された表示板８とを備え、発光ダイオード１０は駆動軸２周りに配置され回路基板１に対して平行方向であって駆動軸２の中心側に光を出射するサイドビュー型からなり、指針６は駆動軸２と発光ダイオード１０との間に配置され発光ダイオード１０からの光を指示部４側に導く反射面２１を有すると共に、この反射面２１は発光ダイオード１０の照射範囲Ｓ内に位置するように設けられていることにより、指針６の回動如何に関わらず、発光ダイオード１０からの光を確実に受光部２０で受光して反射面２１で反射させることができ、指針６（指示部４）の発光輝度を低下させることなく、均一な指針照明が可能である。また、従来の様に、発光ダイオードからの光を指針側に導くための別体の導光部材を使ったり、駆動装置に反射面を設ける必要がないことから、指針式計器装置を小型化し、コストダウンを図ることができる。
【００３１】
また、指針６の基部１６に設けられた反射面２１は、指針６が回動した際、指針照明用の発光ダイオード１０の光軸中心Ｌに位置するように設けられているため、発光ダイオード１０からの強い光を受光部２０で受光し反射面２１で反射させることができ、指針６（指示部４）の発光輝度を高めることができる。
【００３２】
また、指針照明用の発光ダイオード１０を駆動本体３の駆動軸２を中心とした円周上に複数個（３個）実装することにより、複数の発光ダイオード１０の何れかから、或いは図４に示す様な状態であっても両方（２個）の発光ダイオード１０からの光を受光することが可能であり、指示部４の回動位置に関わらず指示部４をほぼ均一の明るさで照明できる。
【００３３】
なお、本実施形態に於いては、指針６の基部１６に設けられた受光部２０および反射面２１を発光ダイオード１０の照射範囲Ｓとほぼ同じ領域（角度）としたが、照射範囲Ｓより広い領域（広い角度）まで延設されていても良い。或いは、照射範囲Ｓよりも狭い領域（狭い角度）であっても良い。要は、指示部４（指針６）の回動範囲に於いて、何れか１個の発光ダイオード１０、或いは複数の発光ダイオード１０からの光を受光して指示部４が照明可能となっていれば良い。
【００３４】
本発明の第２実施形態を図５および図６に基づいて説明する。本実施形態は前記第１実施形態とは指針６が異なる。なお、前記第１実施形態と同一もしくは相当箇所については同一符号を付して詳細説明は省略する。
【００３５】
指針６は、前記第１実施形態と同様に、指示部４および基部１６を有する無色透明な合成樹脂からなる指針本体１７と、基部１６の前方側および周囲を覆う例えば黒色の合成樹脂からなる指針キャップ１８と、指示部４とは反対側の指針キャップ１８内に収納され黄銅や亜鉛などの金属系の材料からなるバランサー１９を備えている。
【００３６】
基部１６には、駆動本体３の駆動軸２に固着される円筒状の指針軸５が設けられている。そして、本実施形態に於いては、この指針軸５が指針照明用の発光ダイオード１０からの光を受光する受光部２０ともなっており、この受光部２０に入射した光を指示部４側に導く円錐状の反射面２１が指針軸５に設けてある。この反射面２１は駆動軸２を囲むように指針軸５の全周に設けてある。また、基部１６には反射面２１で反射した光を指示部４の先端側に反射させる指針反射面２２が指示部４側とバランサー１９側に設けてある。
【００３７】
指針照明用の発光ダイオード１０は、駆動軸２周りに配置され回路基板１に対して平行方向に光を出射するサイドビュー型であり、指針６の指針軸５（受光部２０）周りであって回路基板１上の駆動軸２を中心とした円周上に出射方向が駆動軸２側となるように３個１０Ａ，１０Ｂ，１０Ｃ実装されている。なお、本実施形態に於いては受光部２０および反射面２１が駆動軸２に設けられているため、回路基板１の平面方向に於いて指針６（指示部４）が停止している際も回動している際も光軸中心Ｌに受光部２０および反射面２１が位置するようになっている。同様に、指示部４（指針６）の回動位置に関わらず発光ダイオード１０の回路基板１の平面方向に於ける照射範囲Ｓ内に受光部２０および反射面２１が位置し、発光ダイオード１０からの光を受光して、反射面２１に於いてその光を指針反射面２２側に反射するようになっている。
【００３８】
この様に構成された指針式計器装置に於いて、夜間など周囲が暗い時に例えば白色で発光する指針照明用の発光ダイオード１０が点灯すると、発光ダイオード１０からの光は指針６の基部１６に設けられた受光部２０内に入射し、反射面２１で反射して指示部４側に導かれる。そして、指針反射面２２で反射されて指示部４の先端側に向かい指示部４が白色で透過照明される。表示板照明用発光ダイオード１１が点灯した際は、前記第１実施形態と同様に表示板８の表示部７が透過照明される。
【００３９】
この様に構成したことにより、前記第１実施形態と同様に、指針６の回動如何に関わらず、発光ダイオード１０からの光を確実に受光部２０で受光して反射面２１で反射させることができ、指針６（指示部４）の発光輝度を低下させることなく、均一な指針照明が可能である。また、従来の様に、発光ダイオードからの光を指針側に導くための別体の導光部材を使ったり、駆動装置に反射面を設ける必要がないことから、指針式計器装置を小型化し、コストダウンを図ることができる。
【００４０】
また、指針６の指針軸５に設けられた反射面２１が指針照明用の発光ダイオード１０の光軸中心Ｌに位置するように設けられているため、発光ダイオード１０からの強い光を受光部２０で受光し反射面２１で反射させることができ、指針６（指示部４）の発光輝度を高めることができる。
【００４１】
また、指針照明用の発光ダイオード１０を駆動本体３の駆動軸２を中心とした円周上に複数個（３個）実装することにより、複数の発光ダイオード１０からの光を受光することが可能であり、指示部４の回動位置に関わらず指示部４をほぼ均一の明るさで照明できる。また、受光部２０および反射面２１が指針軸５に設けられていることにより、指針６全体をコンパクトにでき、指針式計器装置の小型化に繋げることができる。
【００４２】
本発明の第３実施形態を図７に基づいて説明する。本実施形態は前記第１実施形態とは指針６が異なる。なお、前記第１実施形態と同一もしくは相当箇所については同一符号を付して詳細説明は省略する。
【００４３】
指針６は、前記第１実施形態と同様に、指示部４および基部１６を有する無色透明な合成樹脂からなる指針本体１７と、基部１６の前方側および周囲を覆う例えば黒色の合成樹脂からなる指針キャップ１８と、指示部４とは反対側の指針キャップ１８内に収納されるバランサー１９を備えている。
【００４４】
基部１６には、駆動本体３の駆動軸２に固着される円筒状の指針軸５と、この指針軸５と離間し指針照明用の発光ダイオード１０からの光を受光する受光部２０と、この受光部２０に入射した光を指示部４側に導く反射面２１が設けられており、この受光部２０および反射面２１は駆動軸２を囲むように全周に設けてある。また、基部１６には反射面２１で反射した光を指示部４の先端側に反射させる指針反射面２２が２箇所設けてある。
【００４５】
指針照明用の発光ダイオード１０は、駆動軸２周りに配置され回路基板１に対して平行方向に光を出射するサイドビュー型であり、本実施形態に於いては、駆動軸２を中心とした円周上に出射方向が駆動軸２側となるように複数個（前記第１実施形態と同様な配置で３個）実装されている。なお、本実施形態に於いては、受光部２０および反射面２１が駆動軸２を囲むように全周に設けられているため、回路基板１の平面方向に於いて指針６（指示部４）が停止している際も回動している際も光軸中心Ｌに受光部２０および反射面２１が位置するようになっている。
【００４６】
また、指針６の基部１６に設けられた受光部２０および反射面２１が全周に設けられているため、前記第２実施形態と同様に、指示部４（指針６）の回動位置に関わらず発光ダイオード１０の回路基板１の平面方向に於ける照射範囲Ｓ内に受光部２０および反射面２１が位置することになる。従って、指針６（指示部４）が停止している際も回動している際も発光ダイオード１０からの光を受光部２０で受光し、反射面２１に於いてその光を指針反射面２２側に反射するようになっている。
【００４７】
この様に構成された指針式計器装置に於いて、夜間など周囲が暗い時に例えば白色で発光する指針照明用の発光ダイオード１０が点灯すると、発光ダイオード１０からの光は指針６の基部１６に設けられた受光部２０内に入射し、反射面２１で反射して指示部４側に導かれる。そして、指針反射面２２で反射されて指示部４の先端側に向かい指示部４が白色で透過照明される。その際、受光部２０および反射面２１が全周に設けられているために、各発光ダイオード１０から受光部２０に入射した光は受光部２０内を伝わって反射面２１で反射して指針６の指示部４側に導かれるようになるため、指針６（指示部４）が停止している際も回動している際も指示部４をほぼ均一に照明することが可能となる。
【００４８】
この様に構成したことにより、前記第各実施形態と同様に、指針６（指示部４）の発光輝度を低下させることなく、均一な指針照明が可能である。また、従来の様に、発光ダイオードからの光を指針側に導くための別体の導光部材を使ったり、駆動装置に反射面を設ける必要がないことから、指針式計器装置を小型化し、コストダウンを図ることができる。
【００４９】
また、指針６の反射面２１が指針照明用の発光ダイオード１０の光軸中心Ｌに位置するように設けられているため、発光ダイオード１０からの強い光を受光部２０で受光し反射面２１で反射させることができ、指針６（指示部４）の発光輝度を高めることができる。
【００５０】
また、指針照明用の発光ダイオード１０を駆動本体３の駆動軸２を中心とした円周上に複数個（３個）実装することにより、複数の発光ダイオード１０からの光を受光することが可能であり、指示部４の回動位置に関わらず指示部４をほぼ均一の明るさで照明できる。
【００５１】
本発明の第４実施形態を図８に基づいて説明する。本実施形態は前記第１実施形態を基本とし、指針照明用の発光ダイオード１０で表示板８も照明するように構成したものである。なお、前記各実施形態と同一もしくは相当箇所については同一符号を付して詳細説明は省略する。
【００５２】
指針式計器装置は、硬質な回路基板１と、この回路基板１の裏面側に回路基板１と導通状態で装着され、回路基板１を貫通して前方側に延びる駆動軸２を有する駆動本体３と、指示部４と駆動軸２に固着される指針軸５とを有し駆動軸２の回転によって回動する指針６と、この指針６の後方に配置され指示部４の指示対象となる例えば車両の速度を現す目盛，数字などの表示部７が設けられた表示板８と、この表示板８と回路基板１との間に配置され表示板８が支持されるケース部材９と、駆動軸２周りの回路基板１に実装され指針６および表示板７を照明する光源としての発光ダイオード１０を備えている。
【００５３】
指針６は、前記第１実施形態と同様に、指示部４および基部１６を有する無色透明な合成樹脂からなる指針本体１７と、基部１６の前方側および周囲を覆う例えば黒色の合成樹脂からなる指針キャップ１８と、指示部４とは反対側の指針キャップ１８内に収納されるバランサー１９を備えている。
【００５４】
基部１６には、駆動本体３の駆動軸２に固着される円筒状の指針軸５と、この指針軸５と離間し指針照明用の発光ダイオード１０からの光を受光する受光部２０と、この受光部２０に入射した光を指示部４側に導く反射面２１と、この反射面２１で反射した光を指示部４の先端側に反射させる指針反射面２２が設けられている。
【００５５】
ケース部材９は、遮光性のある例えば白色の合成樹脂からなり、表示板８が載置される裁置部２５と、指針６の指示部４の先端側に対応した表示板８と回路基板１との間に傾斜して形成され発光ダイオード１０からの光を表示板８側に反射させる反射部２７などを有している。
【００５６】
指針照明用の発光ダイオード１０は、駆動軸２周りに配置され回路基板１に対して平行方向に光を出射するサイドビュー型である。この発光ダイオード１０の個数や配置位置などは前記第１実施形態と同じであるが、発光ダイオード１０は指針６を照明すると共に、表示板８も照明するようになっている。
【００５７】
この様に構成された指針式計器装置に於いて、夜間など周囲が暗い時に例えば白色で発光する指針照明用の発光ダイオード１０が点灯すると、発光ダイオード１０からの光は指針６の基部１６に設けられた受光部２０内に入射し、反射面２１で反射して指示部４側に導かれる。そして、指針反射面２２で反射されて指示部４の先端側に向かい指示部４が白色で透過照明される。
【００５８】
また、発光ダイオード１０からの光は表示板８の裏面側を直射する、或いはケース部材９に設けられた反射部２７で拡散反射して表示板８側に向かう。これらの光によって表示板８の表示部７が白色で透過照明されるようになる。
【００５９】
この様に構成したことにより、前記第各実施形態と同様に、指針６（指示部４）の発光輝度を低下させることなく、均一な指針照明が可能である。また、従来の様に、発光ダイオードからの光を指針側に導くための別体の導光部材を使ったり、駆動装置に反射面を設ける必要がないことから、指針式計器装置を小型化し、コストダウンを図ることができる。更に、指針６を照明する発光ダイオード１０で表示板８も照明できるため、更なるコストダウンが図られる。
【００６０】
また、指針６の指示部４の先端側に対応した表示板８と回路基板１との間に傾斜して形成され発光ダイオード１０からの光を表示板８側に反射させる反射部２７を設けたことにより、回路基板１と平行方向に出射された光を反射部２７で反射させて表示板８側に導くことができ、表示部７の照明輝度を高めることが可能となる。
【００６１】
なお、指針６の周辺に対応した表示板８箇所に表示板８の支えが必要な際は、図１に示した筒部２６の様なリブ（支え片）を表示板８の表示部７の照明に悪影響を及ぼさない位置に部分的に設ければ良い。
【００６２】
本発明の第５実施形態を図９および図１０に基づいて説明する。本実施形態は前記第４実施形態と同様に、指針照明用の発光ダイオード１０で表示板８も照明するように構成したものである。なお、前記各実施形態と同一もしくは相当箇所については同一符号を付して詳細説明は省略する。
【００６３】
指針６は、前記第３実施形態と同様に、指示部４および基部１６を有する無色透明な合成樹脂からなる指針本体１７と、基部１６の前方側および周囲を覆う例えば黒色の合成樹脂からなる指針キャップ１８と、指示部４とは反対側の指針キャップ１８内に収納されるバランサー１９を備えている。
【００６４】
基部１６には、駆動本体３の駆動軸２に固着される円筒状の指針軸５と、この指針軸５と離間し指針照明用の発光ダイオード１０からの光を受光する受光部２０と、この受光部２０に入射した光を指示部４側に導く反射面２１が設けられており、この受光部２０および反射面２１は駆動軸２を囲むように全周に設けてある。また、基部１６には反射面２１で反射した光を指示部４の先端側に反射させる指針反射面２２が設けてある。
【００６５】
指針照明用の発光ダイオード１０は、駆動軸２周りに配置され回路基板１に対して平行方向に光を出射するサイドビュー型であり、本実施形態に於いては、駆動軸２を中心とした円周上に駆動軸２の中心とは反対側に光を出射するように複数個（本実施形態に於いては４個１０Ａ，１０Ｂ，１０Ｃ，１０Ｄ）実装されている。なお、本実施形態に於いては、発光ダイオード１０の周りに配置された受光部２０および反射面２１が駆動軸２を囲むように全周に設けられているため、指針６（指示部４）が停止している際も回動している際も光軸中心Ｌに受光部２０および反射面２１が位置するようになっている。
【００６６】
また、指針６の基部１６に設けられた受光部２０および反射面２１が全周に設けられているため、図１０に示す様に、指示部４（指針６）の回動位置に関わらず発光ダイオード１０の回路基板１の平面方向に於ける照射範囲Ｓ内に受光部２０および反射面２１が位置することになる。従って、指針６（指示部４）が停止している際も回動している際も発光ダイオード１０からの光を受光部２０で受光し、反射面２１に於いてその光を指針反射面２２側に反射するようになっている。
【００６７】
ケース部材９は、前記第４実施形態と同様に、遮光性のある例えば白色の合成樹脂からなり、表示板８が載置される裁置部２５と、指針６の指示部４の先端側に対応した表示板８と回路基板１との間に傾斜して形成され発光ダイオード１０からの光を表示板８側に反射させる反射部２７などを有している。
【００６８】
この様に構成された指針式計器装置に於いて、夜間など周囲が暗い時に例えば白色で発光する指針照明用の発光ダイオード１０が点灯すると、発光ダイオード１０からの光は指針６の基部１６に設けられた受光部２０内に入射し、反射面２１で反射して指示部４側に導かれる。そして、指針反射面２２で反射されて指示部４の先端側に向かい指示部４が白色で透過照明される。その際、受光部２０および反射面２１が全周に設けられているために、各発光ダイオード１０から受光部２０に入射した光は受光部２０内を伝わって反射面２１で反射して指針６の指示部４側に導かれるようになるため、指針６（指示部４）が停止している際も回動している際も指示部４をほぼ均一に照明することが可能となる。
【００６９】
また、発光ダイオード１０からの光は表示板８の裏面側を直射する、或いはケース部材９に設けられた反射部２７で拡散反射して表示板８側に向かう。これらの光によって表示板８の表示部７が白色で透過照明されるようになる。
【００７０】
この様に構成したことにより、前記第各実施形態と同様に、指針６（指示部４）の発光輝度を低下させることなく、均一な指針照明が可能である。また、従来の様に、発光ダイオードからの光を指針側に導くための別体の導光部材を使ったり、駆動装置に反射面を設ける必要がないことから、指針式計器装置を小型化し、コストダウンを図ることができる。更に、指針６を照明する発光ダイオード１０で表示板８も照明できるため、更なるコストダウンが図られる。
【００７１】
また、指針６の指示部４の先端側に対応した表示板８と回路基板１との間に傾斜して形成され発光ダイオード１０からの光を表示板８側に反射させる反射部２７を設けたことにより、回路基板１と平行方向に出射された光を反射部２７で反射させて表示板８側に導くことができ、表示部７の照明輝度を高めることが可能となる。
【００７２】
なお、本発明は前記各実施形態に限定されるものではない。例えば各実施形態に於いてはケース部材９に反射部２７を設けて、この反射部２７に表示板照明用発光ダイオード１１あるいは発光ダイオード１０からの光を表示板８側に反射させるようにしたが、表示板８の表示部７に満足する照明輝度が得られるようであれば、反射部２７は設けなくとも良い。但し、前述した様に、反射部２７を設けることによって表示部７の照明輝度を高めることができる。
【００７３】
また、第１，第３，第４実施形態に於いては、駆動軸２と発光ダイオード１０との間に受光部２０および反射面２１を設けたが、第５実施形態の様に駆動軸２の周りに発光ダイオード１０を配置し、その周りに受光部２０および反射面２１に設けるようにしても良い。また、第５実施形態に於いては、駆動軸２の周りに発光ダイオード１０を配置し、その周りに受光部２０および反射面２１を設けるようにしたが、第４実施形態の様に駆動軸２と発光ダイオード１０との間に受光部２０および反射面２１を設けるようにしても良い。
【符号の説明】
【００７４】
１  回路基板
２  駆動軸
３  駆動本体
４  指示部
５  指針軸
６  指針
８  表示板
１０  発光ダイオード（光源）
２０  受光部
２１  反射面
Ｌ  光軸中心
２７  反射部
【図１】
2010197275.tif 000003
【図２】
2010197275.tif 000004
【図３】
2010197275.tif 000005
【図４】
2010197275.tif 000006
【図５】
2010197275.tif 000007
【図６】
2010197275.tif 000008
【図７】
2010197275.tif 000009
【図８】
2010197275.tif 000010
【図９】
2010197275.tif 000011
【図１０】
2010197275.tif 000012